(57)【特許請求の範囲】
【請求項１】
映像を表示画面上に表示する表示装置であって、
前記表示装置は、前記表示装置に映像信号を出力するパーソナルコンピュータと、前記表示装置が有する表示画面上の位置に関する情報を前記表示装置に出力するポインティングデバイスとに接続可能に構成されており、
前記ポインティングデバイスの出力信号に基づいて前記ＯＳＤ表示を制御するＯＳＤ制御手段と、
前記ＯＳＤ表示の実行／停止の切り替えを行う切替手段であって、前記ＯＳＤ表示の停止時に、前記ポインティングデバイスの出力信号を前記パーソナルコンピュータに出力するように前記ポインティングデバイスの接続先を切り替える切替手段と、
前記ＯＳＤ表示の実行時に、前記パーソナルコンピュータから前記ポインティングデバイス対する要求信号を監視し、前記要求信号を受信した場合に、前記ポインティングデバイスの応答信号のダミーデータを前記パーソナルコンピュータに出力する信号発信手段と
を備えた、表示装置。
【請求項２】
前記ＯＳＤ制御手段が、前記表示画面の調整に関するＯＳＤを表示するとともに、前記ポインティングデバイスの前記ＯＳＤ表示に関する出力信号に基づいて前記表示画面を調整することを特徴とする請求項１に記載の表示装置。
【請求項３】
前記信号発信手段が、前記ダミーデータとしてポインティングデバイスが操作されていないことを示す信号を発信することを特徴とする請求項１または２に記載の表示装置。
【発明の詳細な説明】
【０００１】
【発明の属する技術分野】
本発明は、表示装置の表示画面に表示された映像の上に重ねて表示されるＯＳＤ（Ｏｎ  Ｓｃｒｅｅｎ  Ｄｉｓｐｌａｙ）メニューを用いて、表示装置の表示画面の調整を行う映像表示システムに関する。
【０００２】
【従来の技術】
近年、パーソナルコンピュータ市場は急速に拡大しており、これからもさらに拡大していくと考えられている。それに伴い、パーソナルコンピュータの周辺機器の機能向上も重要となってきている。特に表示装置に対する大画面化、高解像度化の要求の高まりや、液晶ディスプレイの出現に伴い、表示画面の調整などの操作が複雑化している。従来は、表示装置の表示画面上に表示調整機能を表す文字や記号を表示（ＯＳＤ）し、表示装置に設置されたいくつかのボタンを通して表示調整機能を選択して調整する方法がとられた。しかし、表示画面調整機能の多機能化に伴い機能選択のためにボタンを押す回数が多くなったことや、調整値の大きな増減を表示装置に設置されたボタン操作で行うのに時間がかかり操作性が悪いことなど、使用上不便な点があった。
【０００３】
テレビでは、電源、チャンネルの切替その他のために設けられたリモコンにトラックボールやマウスを組み込み、ＯＳＤによるメニューやカーソルをトラックボールなどで操作することにより表示画面を調整する方法（例えば、特開平８−１５４２１８号公報参照）が知られている。
【０００４】
【発明が解決しようとする課題】
しかしながら、パーソナルコンピュータに接続される表示装置の場合は、テレビと異なりリモコンが付属しておらず、表示画面の調整のためにわざわざトラックボールやマウスを備えたリモコンを用意することは手間であり、コストがかかってしまう。本発明は、このような問題を解決するためのものであり、パーソナルコンピュータに入力装置として設けられたマウスやトラックボールなどのポインティングデバイスを画面表示調整用の入力装置として併用することにより、ＯＳＤメニューによる画面表示調整の操作性の向上および生産コストの削減を図ることを目的とする。
【０００５】
【課題を解決するための手段】
本発明による表示装置は、映像を表示画面上に表示する表示装置であって、前記表示装置は、前記表示装置に映像信号を出力するパーソナルコンピュータと、前記表示装置が有する表示画面上の位置に関する情報を前記表示装置に出力するポインティングデバイスとに接続可能に構成されており、前記ポインティングデバイスの出力信号に基づいて前記ＯＳＤ表示を制御するＯＳＤ制御手段と、前記ＯＳＤ表示の実行／停止の切り替えを行う切替手段であって、前記ＯＳＤ表示の停止時に、前記ポインティングデバイスの出力信号を前記パーソナルコンピュータに出力するように前記ポインティングデバイスの接続先を切り替える切替手段と、前記ＯＳＤ表示の実行時に、前記パーソナルコンピュータから前記ポインティングデバイス対する要求信号を監視し、前記要求信号を受信した場合に、前記ポインティングデバイスの応答信号のダミーデータを前記パーソナルコンピュータに出力する信号発信手段とを備え、それにより上記目的を達成する。
前記ＯＳＤ制御手段が、前記表示画面の調整に関するＯＳＤを表示するとともに、前記ポインティングデバイスの前記ＯＳＤ表示に関する出力信号に基づいて前記表示画面を調整することを特徴としてもよい。
前記信号発信手段が、前記ダミーデータとしてポインティングデバイスが操作されていないことを示す信号を発信することを特徴としてもよい。
【００１１】
【発明の実施の形態】
以下、図面を参照しながら本発明の実施の形態を説明する。図１は本発明の第一の実施の形態の映像表示システムの概要を示す図である。この図に示すように、本発明の映像表示システムは、表示装置１と、パーソナルコンピュータ２と、ポインティングデバイスとしてのマウス３とを備えている。この映像表示システムは、通常は後述する画面１ｅ上にパーソナルコンピュータ２が出力する映像を表示するが、モードを切り替えることにより、画面１ｅ上に表示された映像の上に重ねてＯＳＤ（Ｏｎ  Ｓｃｒｅｅｎ  Ｄｉｓｐｌａｙ）メニューを表示する。ＯＳＤメニューを表示するモードを「ＯＳＤメニューモード」と呼び、ＯＳＤメニューモード時にＯＳＤメニューを用いて表示装置１の表示画面の調整を行う。表示装置１は、マウス３が接続されるマウスインタフェース１ａと、映像ケーブルコネクタ１ｂと、汎用ケーブルコネクタ１ｃと、ＯＳＤメニューモードのＯＮ／ＯＦＦを切り替えるＯＳＤスイッチ１ｄと、映像を表示する画面１ｅとを有している。パーソナルコンピュータ２は、マウスインタフェース２ａと、映像ケーブルコネクタ２ｂとを有している。マウス３は図示しない回転体とマウスボタン３ａとを有しており、回転体の回転に基づくマウス３のＸ軸方向の移動量およびＹ軸方向の移動量、マウスボタン３ａの押し下げ情報を出力する。なお、マウス３は回転体を用いるものに限らず、マウス３のＸ軸方向の移動量およびＹ軸方向の移動量、マウスボタン３ａの押し下げ情報を出力するものであればどのようなものでもよく、光学的手段に基づいてＸ軸方向の移動量およびＹ軸方向の移動量のを出力するものでもよい。また、マウスに限らず、トラックボールなどでもよい。マウス３は、表示装置１のマウスインタフェース１ａに接続されており、マウス３のＸ軸方向の移動量およびＹ軸方向の移動量、マウスボタン３ａの押し下げ情報がマウスインタフェース１ａを介して表示装置１に与えられる。また、表示装置１の映像ケーブルコネクタ１ｂとパーソナルコンピュータ２の映像ケーブルコネクタ２ｂとが映像ケーブル２１で接続され、汎用ケーブルコネクタ１ｃとマウスインタフェース２ａとが汎用ケーブル２２により接続されている。パーソナルコンピュータ２が映像ケーブルコネクタ２ｂを介して出力する映像信号が映像ケーブル２１を通じて映像ケーブルコネクタ１ｂ介して表示装置１に入力されて画面１ｅに映像が表示される。
【００１２】
ＯＳＤスイッチ１ｄにより、映像表示システムのＯＳＤメニューモードのＯＮとＯＦＦとが切り替えられる。ＯＳＤメニューモードがＯＦＦの場合は、マウスインタフェース１ａを介して表示装置１に入力されるマウス３からのマウス信号は汎用ケーブル２２を通じてパーソナルコンピュータ２のマウスインターフェース２ａに入力される。ＯＳＤメニューモードがＯＮの場合は、画面１ｅ上にＯＳＤメニューが表示され、表示装置１に入力されたマウス３からのマウス信号は、ＯＳＤメニューの操作情報として表示装置１内で処理される。
【００１３】
図２は、本発明の第一の実施の形態の映像表示システムの構成を示すブロック図である。パーソナルコンピュータ２の映像ケーブルコネクタ２ｂには映像ケーブル２１の一端が接続されており、映像ケーブル２１の他端が表示装置１の映像ケーブルコネクタ１ｂに接続されている。映像ケーブルコネクタ１ｂは映像信号処理部８に接続されており、パーソナルコンピュータ２から出力される映像信号は映像ケーブル２１によって、映像信号処理部８に与えられる。映像信号処理部８は、データ処理部５Ａ、ＯＳＤ制御部６、ＰＣ・ＯＳＤデータ合成部９に接続されている。映像信号処理部８は、データ処理部５Ａから入力される映像信号のタイミングや振幅などに関する映像調整データに基づいて映像信号を処理してＲＧＢデータをＰＣ・ＯＳＤデータ合成部９に出力すると共に、水平同期信号（Ｈｓｙｎｃ）および垂直同期信号（Ｖｓｙｎｃ）をＰＣ・ＯＳＤデータ合成部９とＯＳＤ制御部６とに出力する。ＰＣ・ＯＳＤデータ合成部９は、駆動部１０とＯＳＤ制御部６に接続されている。ＰＣ・ＯＳＤデータ合成部９は、映像信号処理部８から入力されたＲＧＢデータとＯＳＤ制御部６から入力されたＯＳＤ表示データとを合成した新たなＲＧＢデータと、水平同期信号（Ｈｓｙｎｃ）および垂直同期信号（Ｖｓｙｎｃ）に基づく映像制御信号とを駆動部１０に出力する。駆動部１０は、表示部１１に接続されており、入力された映像制御信号に基づいて表示部１１を駆動させ、ＰＣ・ＯＳＤデータ結合部９から入力されたＲＧＢデータを表示部１１が有する画面１ｅ（図１参照）に表示する。
【００１４】
マウス３が接続された表示装置１のマウスインタフェース１ａは接続切り替え部４に接続されており、マウス３から出力されるマウス信号は、マウスインターフェース１ａを介して接続切り替え部４に与えられる。接続切り替え部４は、マウスインタフェース１ａの他に、ＯＳＤスイッチ１ｄ、マウスデータ処理部５Ｂ、汎用ケーブルコネクタ１ｃのそれぞれに接続されている。汎用ケーブルコネクタ１ｃには、汎用ケーブル２２の一端が接続されており、汎用ケーブル２２の他端がパーソナルコンピュータ２のマウスインターフェース２ａに接続されている。接続切り替え部４は、ＯＳＤスイッチ１ｄからスイッチＯＮの信号が入力されると接続切り替え部４の内部で、マウスインタフェース１ａをマウスデータ処理部５Ｂ側に接続し、スイッチＯＦＦの信号が入力されるとマウスインターフェース１ａを汎用ケーブルインタフェース１ｃ側に接続する。これにより、マウス３から出力されるマウス信号は、ＯＳＤスイッチ１ｄがＯＮの場合にはマウスデータ処理部５Ｂに与えられ、ＯＳＤスイッチ１ｄがＯＦＦの場合にはパーソナルコンピュータ２に与えられる。マウスデータ処理部５ＢはＯＳＤ制御部６に接続されており、接続切り替え部４からマウスデータ処理部５Ｂに与えられるマウス信号を処理して、マウス３に関するＸ軸方向の変化量データ、Ｙ軸方向の変化量データ、マウスボタンの押し下げデータを計算し、これらをＯＳＤ制御部６に出力する。
【００１５】
ＯＳＤ制御部６は、ＯＳＤスイッチ１ｄ、ＯＳＤメニュー表示データ記憶部７、データ処理部５Ａ、ＰＣ・ＯＳＤデータ合成部９のそれぞれに接続されている。ＯＳＤ制御部６は電源投入（もしくはリセット動作）が行われた場合、あるいは画面解像度が変更された場合には、ＯＳＤメニュー表示データ記憶部７から表示画面の調整のためのデータを読み出してデータ処理部５Ａに出力する。データ処理部５Ａは、ＯＳＤ制御部６から入力される表示画面の調整のためのデータに基づいて前述の映像調整データを映像信号処理部８に出力する。ＯＳＤ制御部６に、ＯＳＤスイッチ１ｄからスイッチＯＮの信号が入力された場合には、ＯＳＤメニュー表示データ記憶部７から表示画面の調整のためのデータを含むＯＳＤメニュー表示のためのデータを読み出す。ＯＳＤ制御部６は、ＯＳＤメニュー表示データ記憶部７から読み出した表示画面の調整のためのデータを含むＯＳＤメニュー表示のためのデータを、マウスデータ処理部５Ｂから入力されたマウス３のＸ軸方向の変化量データ、Ｙ軸方向の変化量データ、マウスボタンの押し下げデータに基づいて変更する。ＯＳＤ制御部６は、変更した表示画面の調整のためのデータを含むＯＳＤメニュー表示のためのデータを映像信号処理部８から入力される水平同期信号（Ｈｓｙｎｃ）および垂直同期信号（Ｖｓｙｎｃ）に同期させたＯＳＤ表示データとしてＰＣ・ＯＳＤデータ合成部９に出力する。また、同時に、表示画面の調整のためのデータが変更された時には、ＯＳＤ制御部６は更新された表示画面の調整のためのデータをデータ処理部５Ａに出力し、データ処理部５ＡがＯＳＤ制御部６から入力される表示画面の調整のためのデータに基づいて前述の映像調整データを映像信号制御部８に出力する。
【００１６】
次に、フローチャートを用いてマウスデータ処理部５Ｂ、ＯＳＤ制御部６のそれぞれの動作について説明する。なお、括弧付きで添付した番号はフローチャート内のステップ番号に対応している。図３は、マウスデータ処理部５Ｂの動作を示すフローチャートである。ＯＳＤスイッチ１ｄがＯＮになるとＯＳＤメニューモードがＯＮとなり（２００）、接続切り替え部４がマウス３をデータ処理部５Ｂ側に接続する。ＯＳＤメニューモードではマウス３がパーソナルコンピュータ２ではなくマウスデータ処理部５Ｂに接続されているために、パーソナルコンピュータ２に対するマウス処理が必要になる。つまり、パーソナルコンピュータ２とマウス３がＰＳ／２接続により接続されている場合は、パーソナルコンピュータ２からマウス３に対して入力要求が行われる。しかし、ＯＳＤメニューモード時には、マウス３は接続切り替え部４を介してマウスデータ処理部５Ｂに接続されているため、パーソナルコンピュータ２の入力要求に対してマウス３が応答しない。マウス３からの応答がない場合は、パーソナルコンピュータ２はマウス３が接続されていないものとみなす。
【００１７】
一旦、マウス３が接続されていないとみなされると、ＯＳＤメニューモードがＯＦＦになってマウス３がパーソナルコンピュータ２に接続された場合にも、パーソナルコンピュータ２がマウス３の接続を認識せず、マウス３が正常に動作しないという状況が発生する。このような状況を回避するために、マウス処理として「ダミーデータ送信ルーチン」をスタートさせる（２１０）。「ダミーデータ送信ルーチン」は接続切り替え部４を介して入力されるパーソナルコンピュータ２からのマウス３に対する入力要求信号を監視し、入力要求信号の入力があった場合にマウス入力のダミーデータを発信する。ダミーデータは接続切り替え部４、汎用ケーブル２２を介してパーソナルコンピュータ２に入力される。これにより、ＯＳＤメニューモードにおいてもパーソナルコンピュータ２はマウス３が接続されていると認識するので、ＯＳＤメニューモードがＯＦＦになった場合にもマウス３を正常に動作させることができる。ダミーデータとしては、マウス移動量０、マウスボタンの押し下げなし、といったデータが適用できる。
【００１８】
次に、マウス３からの入力信号の有無を判断する（２２０）。マウス３からの入力信号がある場合には、入力信号を処理して画面１ｅの表示面におけるカーソルのＸ軸方向の変化量データ、Ｙ軸方向の変化量データ、マウスボタンの押し下げデータを計算してＯＳＤ制御部６に送信する（２３０）。ＯＳＤスイッチ１ｄがＯＦＦになってＯＳＤメニューモードがＯＦＦになるまで（２４０）ステップ２２０〜ステップ２４０の処理を繰り返す。ＯＳＤメニューモードがＯＦＦとなると「ダミーデータ送信ルーチン」を止めて終了する（２５０）。
【００１９】
図４は、ＯＳＤ制御部６の動作を示すフローチャートである。ＯＳＤスイッチ１ｄがＯＮになるとＯＳＤメニューモードがＯＮになり（３００）、接続切り替え部４がマウス３をデータ処理部５Ｂに接続する。次に、ＯＳＤメニューおよびメニュー用のカーソルの表示位置を初期値に設定する（３１０）。ＯＳＤメニュー表示データ記憶部７からＯＳＤメニュー表示用のデータや現在設定されている画面表示調整用の数値データを読み出し、ＯＳＤ表示データとしてＰＣ・ＯＤＳデータ合成部９に送信する（３２０）。これにより、表示部１１が有する画面１ｅに、ＯＳＤメニューが表示される。次に、マウスデータ処理部５Ｂからマウス操作に関するデータの入力が有るかどうかを判断する（３３０）。入力されたデータがカーソル移動に関するデータである場合は（３４０）、入力されたマウスのＸ軸方向の変化量データ、Ｙ軸方向の変化量データに基づいてカーソルの位置情報を変更する（３５０）。次に、変更されたカーソルの位置情報を含むＯＳＤ表示データをＰＣ・ＯＳＤ合成部９に送信する（３６０）。これにより、画面１ｅに表示されたＯＳＤメニュー上のカーソルの位置がマウス３の操作により移動する。次に、入力されたマウス操作に関するデータがマウスボタンの押し下げに関するデータであるかどうかを判断し（３７０）、マウスボタンの押し下げに関するデータである場合には、現在のカーソル位置におけるマウスボタンの押し下げが有効であるかどうかを判断する（３８０）。マウスボタンの押し下げが有効である場合には、ＯＳＤメニュー上のカーソル位置に応じて、下層メニューの表示、メニュー項目の実行、メニューに表示された画面表示調整用の数値の変更、などを実行する（３９０）。次に、下層メニューの表示、メニュー項目の実行、画面表示調整用の数値の変更、などの実行結果を画面１ｅに表示されたＯＳＤメニューに反映させるためにＯＳＤ表示データをＰＣ・ＯＳＤ合成部に送信する（４００）。また、表示画面の調整のためのデータが変更された場合には実行結果を画面１ｅに表示された映像信号に反映させるために更新された表示画面の調整のためのデータをデータ処理部５Ａに出力する。ＯＳＤスイッチ１ｄがＯＦＦになってＯＳＤメニューモードがＯＦＦになるまで（４１０）ステップ３３０〜ステップ４１０の処理を繰り返す。ＯＳＤメニューモードがＯＦＦとなると、変更された画面表示調整用の数値データをＯＳＤメニュー表示データ記憶部７に書き込み保存する。さらに、ＯＳＤ表示データの送信をストップしてＯＳＤメニューおよびメニュー用のカーソルを画面１ｅ（図１参照）から消去して（４２０）終了する。
【００２０】
上述のように本発明の映像表示システムによれば、マウスを用いてＯＳＤメニューの選択やメニュー項目内での画面表示調整の数値変更を行うので、ＯＳＤメニューの操作性が向上する。また、ＯＳＤメニューモードの前後においてもマウスを正常に動作させることができる。
【００２１】
図５は本発明の第二の実施の形態の映像表示システムの概要を示す図である。以下に第一の実施の形態と異なる点についてのみ説明する。この図に示すように、本発明の映像表示システムは、表示装置１と、パーソナルコンピュータ２と、ポインティングデバイスとしてのマウス３とを備えている。映像ケーブル２１の一端が表示装置１が有する映像ケーブルコネクタ１ｂに接続され、映像ケーブル２１の他端がパーソナルコンピュータ２が有する映像ケーブルコネクタ２ｂに接続されることにより、表示装置１とパーソナルコンピュータ２とが繋がれる。マウス３は表示装置１のマウスインタフェース１ａもしくはパーソナルコンピュータ２のマウスインタフェース２ａのどちらかに接続される。マウスインタフェース１ａおよびマウスインタフェース２ｂはＵＳＢインタフェースであり、表示装置１およびパーソナルコンピュータ２はマウス３が接続されているか否かを検知できるようになっている。また、ＯＳＤメニューモードがＯＦＦの状態で映像表示システムを使用する場合は、マウス３はパーソナルコンピュータ２のマウスインターフェース２ａに接続されている。一方、ＯＳＤメニューを用いて表示装置１の画面表示調整を行うＯＳＤメニューモードで映像表示システムを使用する場合は、マウス３は表示装置１のマウスインターフェース１ａに接続されている。このＯＳＤメニューモード時には、マウス３からマウスインターフェース１ａに入力されたマウス信号はＯＳＤメニューの操作情報として表示装置１の内部で処理される。
【００２２】
図６は、本発明の第二の実施の形態の映像表示システムの構成を示すブロック図である。映像表示システムは、第一の実施の形態の映像システム（図２）と比べて、ＯＳＤスイッチ１ｄおよび接続切り替え部４を有さず、コネクタ接続検知部１２を有している。マウス３がマウスインターフェース１ａを介してコネクタ接続検知部１２に接続され、コネクタ接続検知部１２はマウスデータ処理部５ＢおよびＯＳＤ制御部６に接続されている。マウスインタフェース１ａにマウス３が接続されるとコネクタ接続検知部１２がこれを検知して、ＯＳＤ制御部６にマウス検知信号を出力する。また、マウス３が出力するマウス信号は、マウスインタフェース１ａ、コネクタ接続検知部１２を介してマウスデータ処理部５Ｂに与えられる。
【００２３】
パーソナルコンピュータ２のマウスインタフェース２ａに接続されているマウス３が表示装置１のマウスインタフェース１ａに接続されると、コネクタ接続検知部１２が接続を検知して接続検知信号をＯＳＤ制御部６に出力する。マウスの検知信号がＯＳＤ制御部６に入力されることにより映像表示システムがＯＳＤメニューモードとなる。ＯＳＤメニューモードになると、マウス３が出力するマウス信号がマウスインタフェース１ａ、コネクタ接続検知部１２を介してマウスデータ処理部５Ｂに与えられ、第一の実施の形態で説明したのと同じ手順でＯＳＤメニュー操作の情報として処理される。マウス３がマウスインタフェース１ａから取り外されると、コネクタ接続検知部１２が取り外しを検知して取外検知信号をＯＳＤ制御部６に出力する。マウスの取外検知信号がＯＳＤ制御部６に入力されることにより映像表示システムがＯＳＤメニューモードＯＦＦとなる。
【００２４】
このような本発明の第二の実施の形態の映像表示システムでは、パーソナルコンピュータ２に設けられたマウスインターフェース２ａは、マウス３が接続されているか否かを検知することができ、マウスの入力要求を行うこともない。そのため、マウス３をパーソナルコンピュータ２のマウスインターフェース２ａから一旦取り外し、ＯＳＤメニュー操作を行った後に再び接続したときにも、パーソナルコンピュータ２がマウス３を認識して正常に動作する。
【００２５】
【発明の効果】
本発明の映像表示システムによれば、パーソナルコンピュータが入力装置として備えているマウスなどのポインティングデバイスを表示装置のＯＳＤメニューの選択やメニュー項目内での画面表示調整の数値変更のための入力手段として用いることで、ＯＳＤメニューの操作性を向上させつつコストを抑えることが可能である。また、一旦、マウスとパーソナルコンピュータとの接続を断つと、再び接続してもマウスを認識しなくなるＰＳ／２接続によって、マウスとパーソナルコンピュータが接続されている場合にも、ＯＳＤメニューに対する入力手段として用いた前後でマウスを正常に動作させることができる。
【図面の簡単な説明】
【図１】本発明が適用された映像表示システムの第一の実施形態の概要を示す図。
【図２】本発明が適用された映像表示システムの第一の実施形態における構成を示すブロック図。
【図３】図２におけるマウスデータ処理部の動作を示すフローチャート。
【図４】図２におけるＯＳＤ制御部の動作を示すフローチャート。
【図５】本発明が適用された映像表示システムの第二の実施形態の概要を示す図。
【図６】本発明が適用された映像表示システムの第二の実施形態における構成を示すブロック図。
【符号の説明】
１  表示装置
１ａ  マウスインターフェース
１ｂ  映像ケーブルコネクタ
１ｃ  汎用ケーブルコネクタ
１ｄ  ＯＳＤスイッチ
１ｅ  表示画面
２  パーソナルコンピュータ
２ａ  マウスインターフェース
２ｂ  汎用ケーブルコネクタ
３  マウス（ポインティングデバイス）
４  接続切り替え部
５Ａ  データ処理部
５Ｂ  マウスデータ処理部
６  ＯＳＤ制御部
７  ＯＳＤメニュー表示データ記憶部
８  映像信号処理部
９  ＰＣ・ＯＳＤデータ合成部
１０  駆動部
１１  表示部
２１  映像ケーブル
２２  汎用ケーブル
【図１】
0003585101.tif 000002
【図２】
0003585101.tif 000003
【図３】
0003585101.tif 000004
【図４】
0003585101.tif 000005
【図５】
0003585101.tif 000006
【図６】
0003585101.tif 000007